【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
コンピュータで実行され、１つ以上のアプリケーションによる位置情報へのアクセスを管理する方法であって、該方法は、
地上波送信機のネットワークから受信した第１の組の暗号化された位置信号を第１の鍵を用いて復号し、
前記第１の組の復号された位置信号から位置情報を判別し、
第１の組の位置情報を識別し、該第１の組の位置情報は、第１のアプリケーションに対応する第１のサービスレベルに基づいて識別され、
前記第１の組の位置情報を第２の鍵を用いて暗号化し、
該暗号化された第１の組の位置情報を前記第１のアプリケーションへ提供することを含む、コンピュータで実行される方法。
【請求項２】
前記第１の組の位置情報は、地上波送信機のネットワークからの１つ以上の送信機の位置座標、タイミング修正値または大気測定値のうち少なくとも１つを含む請求項１のコンピュータで実行される方法。
【請求項３】
前記方法は、
受信機の位置の推定座標を前記復号された位置信号を用いて算出することを含み、前記第１の組の位置情報は、前記受信機の推定座標を含む請求項１のコンピュータで実行される方法。
【請求項４】
前記復号された位置信号は、前記地上波送信機のそれぞれにおける大気測定値を指定するデータを含み、前記推定座標は、前記復号された位置信号および前記受信機において測定された少なくとも１つの大気測定値を用いて算出された高度座標を含む請求項３のコンピュータで実行される方法。
【請求項５】
前記方法は、
受信機の位置の推定座標を前記復号された位置信号を用いて算出し、
前記第１のアプリケーションに許可された精度レベルに基づいて前記推定座標に基づく修正された座標を算出することを含み、該修正された座標は、前記受信機の指定が前記推定座標より低精度であり、前記第１の組の位置情報は前記修正された座標を含む請求項１のコンピュータで実行される方法。
【請求項６】
前記方法は、
第２の組の位置情報を識別し、該第２の組の位置情報は、第２のアプリケーションに対応する第２のサービスレベルに基づいて識別され、前記第１の組に含まれる特定の位置情報は前記第２の組に含まれず、
前記第２の組の位置情報を第３の鍵を用いて暗号化し、
前記第２の組の位置情報を前記第２のアプリケーションへ提供することを含む請求項１のコンピュータで実行される方法。
【請求項７】
前記方法は、
地上波送信機のネットワークから受信した第２の組の暗号化された位置信号を前記第１の鍵または第３の鍵を用いて復号し、前記第１の組の暗号化された位置信号は、前記受信機の第１の位置において受信され、前記第２の組の暗号化された位置信号は、前記受信機の第２の位置における受信機であり、
前記第２の組の復号された位置信号からさらなる位置情報を判別し、
第２の組のさらなる位置情報を識別し、該第２の組のさらなる位置情報は、第２のアプリケーションに対応する第２のサービスレベルに基づいて識別され、
前記第２の組の位置情報を第４の鍵を用いて暗号化し、
前記第２の組の位置情報を前記第２のアプリケーションへ提供することを含む請求項１のコンピュータで実行される方法。
【請求項８】
前記方法は、
前記第１の組の位置情報の識別前に、前記第１のサービスレベルを指定する情報が前記受信機に蓄積されているかを判別し、
前記第１のサービスレベルを指定する情報が前記受信機に蓄積されていないと判別されると、前記第１のアプリケーションに対応する第１の開発者鍵にアクセスし、
該第１の開発者鍵をサーバへ送り、
該第１の開発者鍵の前記サーバへの送信に呼応して、前記第１のサービスレベルを指定する情報を受信することを含む請求項１のコンピュータで実行される方法。
【請求項９】
前記第１のサービスレベルを指定する情報は、前記第１のアプリケーションに対応する第１の認証済サービスレベル証明書に含まれ、該証明書は前記開発者鍵に対応する請求項８のコンピュータで実行される方法。
【請求項１０】
前記第１のサービスレベルは、前記第１の組の位置情報および任意の後続位置情報の任意の後続する組を前記第２の鍵を用いて暗号化することが可能な期間を指定する請求項１のコンピュータで実行される方法。
【請求項１１】
前記第２の鍵は、前記位置信号が復号された後に生成されるセッション鍵である請求項１のコンピュータで実行される方法。
【請求項１２】
第１のアプリケーションは遠隔サーバにて走行し、前記第１の組の位置情報は該遠隔サーバへ提供される請求項１のコンピュータで実行される方法。
【請求項１３】
前記方法は、前記第１のアプリケーションに対応する第１の証明書において指定されたパラメータに基づいて前記第１のサービスレベルを判別することを含む請求項１のコンピュータで実行される方法。
【請求項１４】
前記方法は、
保護されていない通信路を通して前記位置情報が送られる前に該位置情報をスクランブルし、
前記第１の組を識別する前に前記スクランブルされた位置情報をスクランブル解除することを含む請求項１のコンピュータで実行される方法。
【請求項１５】
前記方法は、
複数の鍵のなかから前記第１の鍵を選択し、前記暗号化された位置信号のＣＲＣフィールドは、前記第１の鍵を用いて前記第１の組の暗号化された位置信号を復号する場合にのみチェックを通過させるか、
複数の鍵のなかから前記第１の鍵を選択し、前記復号された位置信号のデータは、前記第１の鍵を用いて前記第１の組の暗号化された位置信号を復号する場合にのみ、予測される範囲の値と照合するか、または、
複数の鍵のなかから前記第１の鍵を選択し、前記複数の送信機からの前記パケットデータは、前記第１の鍵を用いて前記第１の組の暗号化された位置信号を復号する場合にのみ、１つ以上の整合性チェックを通過させる、
ことを含む請求項１のコンピュータで実行される方法。
【請求項１６】
前記第１の組の位置情報は、地上波送信機のネットワークとは異なる送信機の位置座標を含む請求項１のコンピュータで実行される方法。
【請求項１７】
前記第１の組の位置情報は、地上波送信機のネットワークからのタイミング修正値、または、地上波送信機のネットワークにおける異なる送信機からの圧力の測定値を指定する位置情報、を含む請求項１のコンピュータで実行される方法。
【請求項１８】
前記第１の組の位置情報は、地上波送信機のネットワークからの１つ以上の送信機の位置座標、前記１つ以上の送信機のタイミング修正値、または、前記１つ以上の送信機の位置において測定された大気測定値、を含み、
前記方法は、
前記第１の組の位置情報を用いて受信機の位置の推定座標を算出することを含む請求項１のコンピュータで実行される方法。
【請求項１９】
前記第１の組の位置情報は、地上波送信機のネットワークから発生した前記位置信号の推定到着時間を含む請求項１のコンピュータで実行される方法。
【請求項２０】
前記方法は、
前記第１の組の暗号化された位置信号を受信機において受信し、前記位置信号は前記受信機の位置を指定しておらず、
前記第１の組の位置情報を用いて前記受信機の位置を推定する、
ことを含む請求項１のコンピュータで実行される方法。
【請求項２１】
請求項１から２０のいずれか１項の方法をコンピュータによって実行するようになっており、コンピュータによって読み出し可能なプログラムコードが内部に具現化されている、コンピュータによる利用が可能な媒体。
【請求項２２】
請求項１から２０のいずれか１項の方法を実行するようになっている、１つ以上のアプリケーションによる位置情報へのアクセスを管理するためのシステム。